(57)【要約】【課題】店舗の効率的な管理を行うこと。【解決手段】情報処理装置であって、申請用に作成された入替書類データから、遊技機の台番号に対応して、少なくとも遊技機に使用される基板の基板番号を含む第１データを抽出する第１抽出部と、店舗で収集されたホールコンデータから、台番号に対応して、少なくとも台粗利を含む第２データを抽出する第２抽出部と、記第１、第２データを、台番号に基づいて合成した合成データから、店舗のホール管理データを生成する処理部と、を備えた。【選択図】  図１
2020137921.tif 000002
【特許請求の範囲】
【請求項１】
申請用に作成された入替書類データから、遊技機の台番号に対応して、少なくとも遊技機に使用される基板の基板番号を含む第１データを抽出する第１抽出部と、
店舗で収集されたホールコンデータから、前記台番号に対応して、少なくとも台粗利を含む第２データを抽出する第２抽出部と、
前記第１、第２データを、前記台番号に基づいて合成した合成データから、店舗のホール管理データを生成する処理部と、
を備えた情報処理装置。
【請求項２】
前記処理部は、
前記第１、第２データを合成した合成データを前記台番号に対応させて蓄積する蓄積部と、
前記蓄積した合成データから前記ホール管理データを生成する生成部と、
を有する請求項１に記載の情報処理装置。
【請求項３】
前記第１データは、さらに、遊技機の検定番号および遊技機の機種名を含む請求項１または２に記載の情報処理装置。
【請求項４】
前記処理部は、前記ホール管理データとして、前記合成データから機種名に基づいてソートしたデータ、前記機種名ごとに合成したデータおよび前記基板番号ごとに合成したデータの少なくとも１つを生成する請求項３に記載の情報処理装置。
【請求項５】
前記第２データは、さらに、台売上を含む請求項１乃至４のいずれか１項に記載の情報処理装置。
【請求項６】
前記ホール管理データは、少なくとも、前記台番号に対応する前記基板番号を含む請求項１乃至５のいずれか１項に記載の情報処理装置。
【請求項７】
前記ホールコンデータから、差玉、有効スタートおよびベースエーの少なくとも１つを算出する算出部をさらに有する請求項１乃至６のいずれか１項に記載の情報処理装置。
【請求項８】
店舗を識別するための店舗識別子を有する、少なくとも２つの店舗を含み、
前記入替書類データおよび前記ホールコンデータに含まれる前記店舗識別子が一致するか否かを判定する判定部をさらに備え、
前記処理部は、前記判定部が一致すると判定した場合に、前記合成データから前記ホール管理データを生成する請求項１乃至７のいずれか１項に記載の情報処理装置。
【請求項９】
前記処理部は、前記ホール管理データとして、前記合成データから前記店舗単位のデータを生成する請求項８に記載の情報処理装置。
【請求項１０】
申請用に作成された入替書類データから、遊技機の台番号に対応して、少なくとも遊技機に使用される基板の基板番号を含む第１データを抽出する第１抽出ステップと、
店舗で収集されたホールコンデータから、前記台番号に対応して、少なくとも台粗利を含む第２データを抽出する第２抽出ステップと、
前記第１、第２データを、前記台番号に基づいて合成した合成データから、店舗のホール管理データを生成する処理ステップと、
を含む情報処理方法。
【請求項１１】
申請用に作成された入替書類データから、遊技機の台番号に対応して、少なくとも遊技機に使用される基板の基板番号を含む第１データを抽出する第１抽出ステップと、
店舗で収集されたホールコンデータから、前記台番号に対応して、少なくとも台粗利を含む第２データを抽出する第２抽出ステップと、
前記第１、第２データを、前記台番号に基づいて合成した合成データから、店舗のホール管理データを生成する処理ステップと、
をコンピュータに実行させる情報処理プログラム。
【発明の詳細な説明】
【技術分野】
【０００１】
本発明は、情報処理装置、情報処理方法および情報処理プログラムに関する。
【背景技術】
【０００２】
上記技術分野において、特許文献１には、情報提供機からホール情報を受信し、受信したホール情報の提供を要求してきた情報要求機に送信する技術が開示されている。
【先行技術文献】
【特許文献】
【０００３】
【特許文献１】特開２０１６−１９７２７号公報
【発明の概要】
【発明が解決しようとする課題】
【０００４】
しかしながら、上記文献に記載の技術では、受信したホール情報をそのまま情報要求機に送信しているので、店舗の効率的な管理を行うことができなかった。
【０００５】
本発明の目的は、上述の課題を解決する技術を提供することにある。
【課題を解決するための手段】
【０００６】
上記目的を達成するため、本発明に係る情報処理装置は、
申請用に作成された入替書類データから、遊技機の台番号に対応して、少なくとも遊技機に使用される基板の基板番号を含む第１データを抽出する第１抽出部と、
店舗で収集されたホールコンデータから、前記台番号に対応して、少なくとも台粗利を含む第２データを抽出する第２抽出部と、
前記第１、第２データを、前記台番号に基づいて合成した合成データから、店舗のホール管理データを生成する処理部と、
を備えた。
【０００７】
上記目的を達成するため、本発明に係る情報処理方法は、
申請用に作成された入替書類データから、遊技機の台番号に対応して、少なくとも遊技機に使用される基板の基板番号を含む第１データを抽出する第１抽出ステップと、
店舗で収集されたホールコンデータから、前記台番号に対応して、少なくとも台粗利を含む第２データを抽出する第２抽出ステップと、
前記第１、第２データを、前記台番号に基づいて合成した合成データから、店舗のホール管理データを生成する処理ステップと、
を含む。
【０００８】
上記目的を達成するため、本発明に係る情報処理プログラムは、
申請用に作成された入替書類データから、遊技機の台番号に対応して、少なくとも遊技機に使用される基板の基板番号を含む第１データを抽出する第１抽出ステップと、
店舗で収集されたホールコンデータから、前記台番号に対応して、少なくとも台粗利を含む第２データを抽出する第２抽出ステップと、
前記第１、第２データを、前記台番号に基づいて合成した合成データから、店舗のホール管理データを生成する処理ステップと、
をコンピュータに実行させる。
【発明の効果】
【０００９】
本発明によれば、店舗の効率的な管理を行うことができる。
【図面の簡単な説明】
【００１０】
【図１】本発明の第１実施形態に係る情報処理装置の構成を示すブロック図である。
【図２Ａ】本発明の第２実施形態に係る情報処理装置の動作の概要を説明する図である。
【図２Ｂ】本発明の第２実施形態に係る情報処理装置が処理する入替書類データの一例を示す図である。
【図２Ｃ】本発明の第２実施形態に係る情報処理装置が処理するホールコンデータの一例を示す図である。
【図２Ｄ】本発明の第２実施形態に係る情報処理装置のホール管理データの表示例を示す図である。
【図２Ｅ】本発明の第２実施形態に係る情報処理装置のホール管理データの表示例を示す図である。
【図２Ｆ】本発明の第２実施形態に係る情報処理装置のホール管理データの表示例を示す図である。
【図３】本発明の第２実施形態に係る情報処理装置の構成を示すブロック図である。
【図４】本発明の第２実施形態に係る情報処理装置の有する管理データベースの一例を示す図である。
【図５】本発明の第２実施形態に係る情報処理装置のハードウェア構成を示すブロック図である。
【図６】本発明の第２実施形態に係る情報処理装置の処理手順を説明するフローチャートである。
【図７】本発明の第３実施形態に係る情報処理装置を含む全体構成を説明する図である。
【図８】本発明の第３実施形態に係る情報処理装置の構成を示すブロック図である。
【図９】本発明の第３実施形態に係る情報処理装置の有する管理データベースの一例を示す図である。
【図１０】本発明の第３実施形態に係る情報処理装置のハードウェア構成を示すブロック図である。
【図１１】本発明の第３実施形態に係る情報処理装置の処理手順を説明するフローチャートである。
【発明を実施するための形態】
【００１１】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１２】
［第１実施形態］
本発明の第１実施形態としての情報処理装置１００について、図１を用いて説明する。情報処理装置１００は、店舗から送られてくるデータに基づいてホール管理データを生成する装置である。
【００１３】
情報処理装置１００は、第１抽出部１０１、第２抽出部１０２および処理部１０３を有する。第１抽出部１０１は、申請用に作成された入替書類データから、遊技機の台番号に対応して、少なくとも遊技機に使用される基板の基板番号を含む第１データを抽出する。第２抽出部１０２は、店舗で収集されたホールコンデータから、台番号に対応して、少なくとも台粗利を含む第２データを抽出する。処理部１０３は、第１、第２データを、台番号に基づいて合成した合成データから、店舗のホール管理データを生成する。
【００１４】
本実施形態によれば、店舗の効率的な管理を行うことができる。
【００１５】
［第２実施形態］
次に本発明の第２実施形態に係る情報処理装置について、図２Ａ乃至図６を用いて説明する。なお、以下の説明において、遊技機には、パチンコ台、パチスロ台が含まれるものとする。
【００１６】
図２Ａは、本実施形態に係る情報処理装置の動作の概要を説明する図である。パチンコ店（パチスロ店）は、遊技機を設置したり、増設したり、交換しようとするときは、パチンコ店の所在地の公安委員会に変更承認申請を行い、必要な検査を受け、承認を受けるまでは使用を開始することができない。また、遊技機の部品で、遊戯性能に影響を及ぼすおそれのある変更を行う場合も同様に変更承認申請が必要となる。申請書類は、各公安委員会の指定する書式に対応させる必要がる。パチンコ店は、入替書類作成システムに含まれる入替書類作成ソフトを用いて、申請書類の作成を行う。入替書類作成ソフトは、変更承認申請書、撤去遊技機明細書、中古遊技機確認書などの申請書類の作成を支援するためのソフトウェアである。
【００１７】
ホールコン（ホールコンピュータ）とは、パチンコ店、パチスロ店に設置される専用コンピュータをいう。ホールコンは、遊技機（ぱちんこ遊技機、じやん球遊技機、回胴式遊技機、新回胴式遊技機、パロット）から各種統計情報をリアルタイムに収集し、収集された各種統計情報は、パチンコ店の経営管理に利用される。ホールコンから出力される各種統計情報は、ＣＳＶ（Comma-Separated Values）形式のデータとして出力される。出力されるデータの内容や出力フォーマット（出力形式）は、ホールコン製造メーカごとに様々なフォーマットや出力項目があり、統一されていない（異なっている）。
【００１８】
情報処理装置２００は、入替書類作成システム２５０に含まれる入替書類作成ソフトから入替書類データ２５１を取得する。入替書類データ２５１は、台番号（台が置いてある場所（住所））、設置日、機種名、検定番号、セル番、基板番号（シリアル番号）、購入日および種別データ（パチンコ玉１個またはスロットコイン１枚の値段）などの出力項目を含むが、入替書類データ２５１に含まれる出力項目は、これらには限定されない。
【００１９】
また、情報処理装置２００は、ホールコン２６０（ホールコンピュータ）からホールコンデータ２６１を取得する。ホールコンデータ２６１は、台番号、アウト、セーフ、打止回数、台売上、台粗利、特賞Ａアウト、ドア開閉および呼出回数などの出力項目を含むが、ホールコンデータ２６１に含まれる出力項目は、これらには限定されない。なお、ホールコンには、例えば、台売上を出力しないものもある。この場合、情報処理装置２００は、他の出力項目を用いて台売上を算出する。
【００２０】
情報処理装置２００は、取得した入替書類データ２５１から遊技機の台番号に対応して、遊技機の機種名、検定番号、基板番号（シリアル番号）、設置日を抽出する（２０１）。なお、抽出されるデータは、これらには限定されない。情報処理装置２００は、例えば、入替書類データ２５１に所定のフィルタをかけて、入替書類データ２５１から必要なデータを抽出して、抽出入替書類データ２１１を出力する。なお、データの抽出方法は、フィルタをかける方法には限定されない。
【００２１】
また、情報処理装置２００は、取得したホールコンデータ２６１から遊技機の台番号に対応して、打込（アウトの名称を変更したもの）、セーフ、差玉、台売上、台粗利、有効スタートおよびＢＡ（ベースエー）を抽出する（２０２）。なお、抽出されるデータは、これらには限定されない。情報処理装置２００は、例えば、ホールコンデータ２６１に所定のフィルタをかけて、ホールコンデータ２６１から必要なデータを抽出して、抽出ホールコンデータ２２１を出力する。なお、データの抽出方法は、フィルタをかける方法には限定されない。
【００２２】
抽出ホールコンデータ２２１には、ホールコンデータ２６１には含まれない項目も含まれている。例えば、差玉、有効スタート、ＢＡなどは、ホールコンデータ２６１には含まれていない。これらの出力項目は、ホールコンデータ２６１に含まれる他の出力項目を用いて算出される。
【００２３】
ここで、差玉は、次の計算式［差玉＝打込（アウト）−セーフ］により算出される。セーフは、遊技機から払い出された玉数である。打込（アウト）は、客が遊技機に打ち出してアウト計数器が計数した玉数である。通常時の打込（ＢＯ）と電動チューリップサポート中の打込（ＢＯＡ）との２種類があり、全ＢＯ＋全ＢＯＡ＝全打込（全アウト）となる。そして、差玉は、打込（アウト）とセーフとの差であり、打込が上回っていれば黒字であり、下回っていれば赤字であることを示す。
【００２４】
次に、有効スタートは、次の計算式［有効スタート＝通常時スタート回数／通常時打込］により算出される。有効スタート（Ｓスタート）は、特賞発生（大当たり）までの実際に図柄が回ったスタート回数単位時間当たりの図柄回転数（スタート回数）を表す。
【００２５】
また、ＢＡは、ベースエーと呼ばれるものであり、次の計算式［ＢＡ＝（特賞Ａセーフ／特賞Ａ打込）×１００］により算出される。ＢＡは、電チューサポート時の出玉率を表す。電チューサポート時のＢＡは、８０〜１００が一般的であり、１００発の打ち込み玉に対して８０〜１００玉の賞球玉が払い出されることになる。電チューサポートとは、確変や時短中に電動チューリップ（電チュー）が頻繁に開くようになり、玉減りを防ぐための機能である。特賞は、大当たりの始まりから電チューサポートの終了までをいう。つまり、通常時以外（大当たり中、確変中、時短中）は全て特賞中となる。例えば、大当たり中を特賞Ａ、電チューサポート中（確変中、時短中）を特賞Ｂなどと呼ぶこともあり、特賞Ａと特賞Ｂとを合わせて「特賞」と呼ぶ。
【００２６】
情報処理装置２００は、抽出入替書類データ２１１と抽出ホールコンデータ２２１とを合成し（２０３）、合成した合成データを台番号に対応させてデータベース２０４に蓄積する。情報処理装置２００は、蓄積された合成データからホール管理データ２４１を生成する。
【００２７】
図２Ｂは、本実施形態に係る情報処理装置が処理する入替書類データの一例を示す図である。入替書類データ２５１は、出力項目として、ホール名（店名）、種別データ、入替日、旧台番号、台番号、設置日、種類、メーカ名、機種名、新品／中古、セル、枠／筐体、基板部、検定番号、検定日、公示日、認定有効期間、購入先などの項目を含む。入替書類データ２５１の出力項目に含まれる項目は、これらには限定されない。そして、入替書類データ２５１は、ＣＳＶ形式のデータとして情報処理装置２００へと送信される。
【００２８】
図２Ｃは、本発実施形態に係る情報処理装置が処理するホールコンデータの一例を示す図である。ホールコンデータ２６１は、出力項目として、種別略称、台番号、島番号、機種番号、タイプ番号、フロア番号、アウト、セーフ、差１、差２、打込玉、特賞中ア、特賞中セ、打止回数、特賞回数、スタート、役物入賞、最大ＴＯ、最小ＴＯ、通過Ｓ、特賞１、特賞２などの項目を含む。ホールコンデータ２６１の出力項目に含まれる項目は、これらには限定されない。そして、ホールコンデータ２６１は、ＣＳＶ形式のデータとして情報処理装置２００へと送信される。
【００２９】
図２Ｄは、本実施形態に係る情報処理装置のホール管理データの表示例を示す図である。情報処理装置２００は、ホール管理データ２４１として、同図に示したようなデータを表示するよう制御する。ホール管理データ２４１は、台番号に対応した基板番号２７１（シリアル番号）を表示し、台粗利２７２の低い順にソートした結果を表示している。また、ホール管理データ２４１には、店舗の台粗利２７２の平均も表示されている。店舗の従業員は、ホール管理データ２４１を参照することにより、効率的な店舗運営の計画を立てることができる。すなわち、店舗の従業員は、例えば、ホール管理データ２４１の台粗利２７２を参照すれば、その台が、粗利を取れる台であるか否かを容易に判断することができる。ホール管理データ２４１は、基板番号２７１（シリアル番号）を表示しているので、その遊技機の台番号が変わっても、従業員は、遊技機１台１台の店舗運営への貢献度を追跡できる。例えば、台粗利２７２の取れない（台粗利２７２の平均よりも低い）遊技機を撤去して、新しい遊技機を導入することにより店舗の粗利を改善することができる。このように、ホール管理データ２４１は、基板番号２７１（シリアル番号）ごとの台粗利２７２や利益率、出玉率などが表示されているので、従業員は、基板番号２７１（シリアル番号）ごとの遊技機の特性を容易に掴むことができる。ホールコンデータ２６１には、基板番号２７１（シリアル番号）が含まれていないため、ホール管理データ２４１のように、１台１台の遊技機の特性を追跡できない。ホールコンデータ２６１では、台番号に基づいて各遊技機を追跡するので、遊技機の台番号が変わった場合には、台番号の変更の前後でホールコンデータ２６１の整合性が取れないため、追跡することは困難となる。
【００３０】
図２Ｅは、本実施形態に係る情報処理装置のホール管理データの表示例を示す図である。情報処理装置２００は、ホール管理データ２８１として、同図に示したようなデータを表示するよう制御する。店舗の従業員は、ホール管理データ２８１を参照することにより、例えば、基板番号２７１（シリアル番号）別の機械償却を追跡することもできるので、効率的な店舗運営の計画を立てることができる。ホール管理データ２８１においては、基板番号２７１（シリアル番号）に基づいてデータを合成しているので、各遊技機の償却率などを表示できるが、ホールコンデータ２６１では、台番号別の償却率を出力するので、従業員は、ホールコンデータ２６１から個別の遊技機の良し悪しを判断することができない。つまり、ホールコンデータ２６１においては、台番号により各遊技機を管理しているので、台番号の変更があると、同じ基板番号２７１の遊技機であっても、それまで蓄積されていたデータがリセットされてしまい、台番号の変更後の当該遊技機の償却率などのデータを追跡できなくなる。
【００３１】
図２Ｆは、本実施形態に係る情報処理装置のホール管理データの表示例を示す図である。情報処理装置２００は、ホール管理データ２９１として、同図に示したようなデータを表示するよう制御する。店舗の従業員は、ホール管理データ２９１を参照することで、例えば、台番号の変更があった場合、店舗間で遊技機の移動があった場合、レート間の移動があった場合であっても、基板番号２７１（シリアル番号）別の生涯利益を把握することができる。ここで、レートは、パチンコ玉１玉（スロットコイン１枚）当たりの貸玉料金をいい、１玉Ｘ円のレートのことを「Ｘ円パチンコ、Ｘ円スロット」などと呼ぶ。そのため、従業員は、ホール管理データ２９１を参照して、効率的な店舗運営の計画を立てることができる。
【００３２】
図３は、本実施形態に係る情報処理装置の構成を示すブロック図である。情報処理装置２００は、抽出部３０１、抽出部３０２、処理部３０３および算出部３０４を有する。処理部３０３は、蓄積部３３１および生成部３３２を有する。情報処理装置２００は、入替書類作成システム２５０に含まれる入替書類作成ソフトから入替書類データ２５１を取得する。情報処理装置２００は、ホールコン２６０からホールコンデータ２６１を取得する。入替書類データ２５１およびホールコンデータ２６１は、ＣＳＶ形式のデータとして情報処理装置２００に送信される。情報処理装置２００は、ＣＳＶ形式の入替書類データ２５１およびホールコンデータ２６１を取得する。
【００３３】
抽出部３０１は、申請用に作成され、取得した入替書類データ２５１から遊技機の台番号に対応して、少なくとも遊技機に使用される基板の基板番号を含む抽出入替書類データ２１１を抽出する。抽出入替書類データ２１１には、台番号や機種名、検定番号、基板番号（シリアル番号）、設置日などが含まれるが、これらには限定されない。なお、抽出部３０１は、所定のフィルタを用いて、抽出入替書類データ２１１を抽出してもよい。すなわち、抽出部３０１は、入替書類データ２５１に所定のフィルタをかけることにより、抽出入替書類データ２１１を抽出する。所定のフィルタは、入替書類データ２５１から所定のデータを選択して、取得するためのものである。あるいは、抽出部３０１は、抽出すべきデータのリストを予め所持しておき、取得した入替書類データ２５１とリストとを比較して、抽出すべき項目を抽出するようにしてもよい。
【００３４】
抽出部３０２は、店舗で収集され、取得されたホールコンデータ２６１から、台番号に対応して、少なくとも台粗利を含む抽出ホールコンデータ２２１を抽出する。抽出ホールコンデータ２２１には、台番号や打込（アウト）、セーフ、差玉、台売上、台粗利、有効スタート、ＢＡなどが含まれるが、これらには限定されない。なお、抽出部３０２は、所定のフィルタを用いて、抽出ホールコンデータ２２１を抽出してもよい。すなわち、抽出部３０２は、ホールコンデータ２６１に所定のフィルタをかけることにより、抽出ホールコンデータ２２１を抽出する。所定のフィルタは、ホールコンデータ２６１から所定のデータを選択して、取得するためのものである。あるいは、抽出部３０２は、抽出すべきデータのリストを予め所持しておき、取得したホールコンデータ２６１とリストとを比較して、抽出すべき項目を抽出するようにしてもよい。
【００３５】
処理部３０３は、抽出入替書類データ２１１および抽出ホールコンデータ２２１を、台番号に基づいて、合成した合成データから店舗のホール管理データ２４１，２８１，２９１を生成する。蓄積部３３１は、抽出入替書類データ２１１および抽出ホールコンデータ２２１を合成した合成データを台番号対応させて蓄積する。生成部３３２は、蓄積した合成データからホール管理データ２４１，２８１，２９１を生成する。
【００３６】
算出部３０４は、ホールコンデータ２６１から、少なくとも、差玉、有効スタート、ＢＡ（ベースエー）を算出する。すなわち、算出部３０４は、ホールコンデータ２６１には含まれていないが、ホール管理データ２４１，２８１，２９１には含ませておきたいデータを、ホールコンデータ２６１に含まれる項目を用いて算出する。例えば、差玉は、打込（アウト）とセーフとの差分として算出される。また、有効スタートは、通常時スタート回数／通常時打込により算出される。ＢＡは、（特賞Ａセーフ／特賞Ａ打込）×１００により算出される。算出されたこれらのデータは、台番号と対応させて蓄積部３３１に蓄積される。
【００３７】
図４は、本実施形態に係る情報処理装置の有する管理データベースの一例を示す図である。管理データベース４０１は、台番号４１１に関連付けて入替書類データ４１２およびホールコンデータ４１３を格納する。すなわち、管理データベース４０１は、抽出入替書類データ２１１と抽出ホールコンデータ２２１とが合成された合成データを台番号４１１に関連付けて格納する。台番号４１１は、店舗内において遊技機の置いてある場所、遊技機の住所を表すものである。入替書類データ４１２は、入替書類作成ソフトにより作成されるデータであり、設置日、検定番号、基板番号などが含まれる。ホールコンデータ４１３は、ホールコンから出力されるデータであり、打込、セーフ、差玉などが含まれる。
【００３８】
図５は、本実施形態に係る情報処理装置のハードウェア構成を示すブロック図である。ＣＰＵ(Central Processing Unit)５１０は、演算制御用のプロセッサであり、プログラムを実行することで図３の情報処理装置２００の機能構成部を実現する。ＣＰＵ５１０は複数のプロセッサを有し、異なるプログラムやモジュール、タスク、スレッドなどを並行して実行してもよい。ＲＯＭ(Read Only Memory)５２０は、初期データおよびプログラムなどの固定データおよびその他のプログラムを記憶する。また、ネットワークインタフェース５３０は、ネットワークを介して他の装置などと通信する。なお、ＣＰＵ５１０は１つに限定されず、複数のＣＰＵであっても、あるいは画像処理用のＧＰＵ(Graphics Processing Unit)を含んでもよい。また、ネットワークインタフェース５３０は、ＣＰＵ５１０とは独立したＣＰＵを有して、ＲＡＭ(Random Access Memory)５４０の領域に送受信データを書き込みあるいは読み出しするのが望ましい。また、ＲＡＭ５４０とストレージ５５０との間でデータを転送するＤＭＡＣ(Direct Memory Access Controller)を設けるのが望ましい（図示なし）。さらに、ＣＰＵ５１０は、ＲＡＭ５４０にデータが受信あるいは転送されたことを認識してデータを処理する。また、ＣＰＵ５１０は、処理結果をＲＡＭ５４０に準備し、後の送信あるいは転送はネットワークインタフェース５３０やＤＭＡＣに任せる。
【００３９】
ＲＡＭ５４０は、ＣＰＵ５１０が一時記憶のワークエリアとして使用するランダムアクセスメモリである。ＲＡＭ５４０には、本実施形態の実現に必要なデータを記憶する領域が確保されている。入替書類データ５４１は、入替書類作成ソフトから取得したデータである。ホールコンデータ５４２は、ホールコンから取得したデータである。抽出入替書類データ５４３は、取得した入替書類データから抽出したデータである。抽出ホールコンデータ５４４は、取得したホールコンデータから抽出したデータである。算出データ５４５は、ホールコンデータには含まれないデータであって、ホールコンデータに含まれる出力項目を用いて算出されるデータである。合成データ５４６は、抽出された入替書類データおよび抽出されたホールコンデータを台番号に基づいて合成したデータである。
【００４０】
送受信データ５４７は、ネットワークインタフェース５３０を介して送受信されるデータである。また、ＲＡＭ５４０は、各種アプリケーションモジュールを実行するためのアプリケーション実行領域５４８を有する。
【００４１】
ストレージ５５０には、データベースや各種のパラメータ、あるいは本実施形態の実現に必要な以下のデータまたはプログラムが記憶されている。ストレージ５５０は、管理データベース４０１を格納する。管理データベース４０１は、図４に示した、台番号４１１をキーとして、入替書類データ４１２とホールコンデータ４１３とを関連付けて記憶するデータベースである。
【００４２】
ストレージ５５０は、さらに、抽出モジュール５５１、抽出モジュール５５２、処理モジュール５５３、生成モジュール５５４および算出モジュール５５５を格納する。抽出モジュール５５１は、入替書類データ２５１から遊技機の台番号に対応して、基板番号を含む抽出入替書類データ２１１を抽出するモジュールである。抽出モジュール５５２は、店舗で収集されたホールコンデータ２６１から、台番号に対応して、少なくとも台粗利を含む抽出ホールコンデータ２２１を抽出するモジュールである。処理モジュール５５３は、抽出した抽出入替書類データ２１１および抽出ホールコンデータ２２１を台番号に基づいて合成した合成データからホール管理データ２４１，２８１，２９１を生成するモジュールである。生成モジュール５５４は、蓄積された合成データからホール管理データ２４１，２８１，２９１を生成するモジュールである。算出モジュール５５５は、ホールコンデータ２６１から、少なくとも、差玉、有効スタートおよびＢＡを算出するモジュールである。これらのモジュール５５１〜５５５は、ＣＰＵ５１０によりＲＡＭ５４０のアプリケーション実行領域５４８に読み出され、実行される。制御プログラム５５６は、情報処理装置２００の全体を制御するためのプログラムである。
【００４３】
入出力インタフェース５６０は、入出力機器との入出力データをインタフェースする。入出力インタフェース５６０には、表示部５６１、操作部５６２、が接続される。また、入出力インタフェース５６０には、さらに、記憶媒体５６４が接続されてもよい。さらに、音声出力部であるスピーカ５６３や、音声入力部であるマイク（図示せず）、あるいは、ＧＰＳ位置判定部が接続されてもよい。なお、図５に示したＲＡＭ５４０やストレージ５５０には、情報処理装置２００が有する汎用の機能や他の実現可能な機能に関するプログラムやデータは図示されていない。
【００４４】
図６は、本実施形態に係る情報処理装置２００の処理手順を説明するフローチャートである。このフローチャートは、図５のＣＰＵ５１０がＲＡＭ５４０を使用して実行し、図３の情報処理装置２００の機能構成部を実現する。
【００４５】
ステップＳ６０１において、情報処理装置２００は、入替書類データ２５１およびホールコンデータ２６１を取得する。ステップＳ６０３において、情報処理装置２００は、抽出入替書類データ２１１および抽出ホールコンデータ２２１を抽出する。ステップＳ６０５において、情報処理装置２００は、抽出入替書類データ２１１および抽出ホールコンデータ２２１を台番号に基づいて合成し、合成データを合成する。ステップＳ６０７において、情報処理装置２００は、合成した合成データを台番号に対応させて蓄積する。ステップＳ６０９において、情報処理装置２００は、ホールコンデータ２６１から、差玉、有効スタート、ＢＡを算出する。情報処理装置２００は、算出した差玉、有効スタート、ＢＡを合成データとして蓄積する。ステップＳ６１１において、情報処理装置２００は、蓄積した合成データからホール管理データ２４１，２８１，２９１を生成する。ステップＳ６１３において、情報処理装置２００は、生成したホール管理データ２４１，２８１，２９１を提示する。
【００４６】
本実施形態によれば、店舗の効率的な管理を行うことができる。また、顧客に対して、様々なデータを提示できるので、顧客は効率的、迅速に店舗管理を行うことができる。
【００４７】
［第３実施形態］
次に本発明の第３実施形態に係る情報処理装置について、図７乃至図１０を用いて説明する。図７は、本実施形態に係る情報処理装置を含む全体構成を説明するための図である。本実施形態に係る情報処理装置は、上記第２実施形態と比べると、複数の店舗から入替書類データおよびホールコンデータを取得する点で異なる。その他の構成および動作は、第２実施形態と同様であるため、同じ構成および動作については同じ符号を付してその詳しい説明を省略する。
【００４８】
図７は、本実施形態に係る情報処理装置を含む全体構成を説明する図である。情報処理装置７００は、複数の店舗７１０から入替書類データおよびホールコンデータを取得する。例えば、Ａ店（パチンコ店・パチスロ店）は、入替書類作成システムＡに含まれる入替書類作成ソフトを用いて申請書類などを作成する。そして、入替書類作成ソフトを用いて作成された入替書類データは、ＣＳＶ形式で情報処理装置７００へ送られる。また、Ａ店に設置されたホールコンＡは、設置されている遊技機から各種統計情報を収集し、収集した各種統計情報をホールコンデータとしてＣＳＶ形式で情報処理装置７００へ送る。情報処理装置７００は、同様にＢ店、Ｃ店からも入替書類データおよびホールコンデータを取得する。情報処理装置７００へ送られる入替書類データおよびホールコンデータには、どの店舗から送られたデータを判別するための店舗識別子が含まれている。店舗識別子は、店舗を識別するためのものであり、各店舗に一意に割り当てられている。
【００４９】
情報処理装置７００は、取得した入替書類データおよびホールコンデータが同じ店舗から送信されたものであるか否かを判定する。判定は、例えば、取得した入替書類データおよびホールコンデータに含まれる店舗識別子に基づいて行われる。そのため、各店舗は、店舗を識別するための店舗識別子を有しており、各店舗から送信された入替書類データおよびホールコンデータには、店舗識別子が含まれている。
【００５０】
情報処理装置７００は、送信された入替書類データおよびホールコンデータが同じ店舗から送信されたものと判定された場合、取得した入替書類データおよびホールコンデータから必要なデータを抽出する。そして、情報処理装置７００は、抽出後の入替書類データおよびホールコンデータを合成して合成データを生成する。情報処理装置７００は、生成した合成データを台番号に対応させて蓄積する。そして、情報処理装置７００は、蓄積した合成データからホール管理データを生成する。生成されたホール管理データは、個々の店舗のデータや法人としての集計データ、全国の店舗の集計データなどとして、顧客の要望に応じて提供される。
【００５１】
図８は、本実施形態に係る情報処理装置の構成を示すブロック図である。情報処理装置７００は、店舗を識別するための店舗識別子を有する、少なくとも２つの店舗から入替書類データおよびホールコンデータを取得する。情報処理装置７００は、判定部８０１を有する。判定部８０１は、取得した入替書類データおよびホールコンデータに含まれる店舗識別子が一致するか否かを判定する。店舗識別子が一致した場合、つまり、取得した入替書類データおよびホールコンデータが同じ店舗のデータである場合、処理部３０３は、合成データから、店舗のホール管理データを生成する。処理部３０３の蓄積部３３１は、抽出入替書類データおよび抽出ホールコンデータを台番号および店舗識別子に対応させて蓄積する。そして、処理部３０３の生成部３３２は、合成したデータからホール管理データを生成する。また、処理部３０３は、ホール管理データとして、合成データから店舗単位のデータを生成する。さらに、処理部３０３は、ホール管理データとして、合成データから機種名に基づいてソートしたデータ、種名ごとに合成したデータおよび、基板番号ごとに合成したデータの少なくとも１つを生成する。
【００５２】
図９は、本実施形態に係る情報処理装置の有する管理データベース９０１の一例を示す図である。管理データベース９０１は、店舗識別子９１１に関連付けて、台番号４１１、入替書類データ４１２およびホールコンデータ４１３を格納する。すなわち、管理データベース９０１は、抽出入替書類データと抽出ホールコンデータとが合成された合成データを店舗識別子９１１および台番号４１１に関連付けて格納する。
【００５３】
図１０は、本実施形態に係る情報処理装置のハードウェア構成を示すブロック図である。ＲＡＭ９４０は、ＣＰＵ５１０が一時記憶のワークエリアとして使用するランダムアクセスメモリである。ＲＡＭ９４０には、本実施形態の実現に必要なデータを記憶する領域が確保されている。店舗識別子９４１は、各店舗を識別するためのＩＤ（Identifier）であり、各店舗に一意に割り当てられている。
【００５４】
ストレージ９５０には、データベースや各種のパラメータ、あるいは本実施形態の実現に必要な以下のデータまたはプログラムが記憶されている。ストレージ９５０は、管理データベース９０１を格納する。管理データベース９０１は、図９に示した、店舗識別子９１１と、台番号４１１、入替書類データ４１２およびホールコンデータ４１３とを関連付けて記憶するデータベースである。
【００５５】
ストレージ９５０は、さらに、判定モジュール９５１を格納する。判定モジュール９５１は、入替書類データおよびホールコンデータに含まれる店舗識別子が一致するか否かを判定するモジュールである。このモジュール９５１は、ＣＰＵ５１０によりＲＡＭ９４０のアプリケーション実行領域５４８に読み出され、実行される。
【００５６】
図１１は、本実施形態に係る情報処理装置の処理手順を説明するフローチャートである。このフローチャートは、図１０のＣＰＵ５１０がＲＡＭ９４０を使用して実行し、図８の情報処理装置７００の機能構成部を実現する。ステップＳ１１０１において、情報処理装置７００は、入替書類データおよびホールコンデータに含まれる店舗識別子が一致するか否かを判定する。店舗識別子が一致しない場合（ステップＳ１１０１のＮＯ）、情報処理装置７００は、ステップＳ６０１へ戻る。店舗識別子が一致する場合（ステップＳ１１０１のＹＥＳ）、情報処理装置７００は、ステップＳ６０３へ進む。
【００５７】
本実施形態によれば、複数の店舗を有している場合であっても、店舗識別子を用いて入替書類データおよびホールコンデータの一致、不一致を判定するので、正確なホール管理データを生成でき、店舗の効率的な管理を行うことができる。また、複数の店舗を有している場合であっても、店舗ごとに効率的な管理を行ったり、いくつかの店舗をまとめて効率的な管理を行ったりすることができる。
【００５８】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００５９】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【図１】
2020137921.tif 000003
【図２Ａ】
2020137921.tif 000004
【図２Ｂ】
2020137921.tif 000005
【図２Ｃ】
2020137921.tif 000006
【図２Ｄ】
2020137921.tif 000007
【図２Ｅ】
2020137921.tif 000008
【図２Ｆ】
2020137921.tif 000009
【図３】
2020137921.tif 000010
【図４】
2020137921.tif 000011
【図５】
2020137921.tif 000012
【図６】
2020137921.tif 000013
【図７】
2020137921.tif 000014
【図８】
2020137921.tif 000015
【図９】
2020137921.tif 000016
【図１０】
2020137921.tif 000017
【図１１】
2020137921.tif 000018
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
遊技機の入替申請用に作成された入替書類データから、前記遊技機に使用される基板の基板番号と前記遊技機の台番号とを含む第１データを抽出する第１抽出部と、
店舗に設置された複数の遊技機から収集されたホールコンデータから、前記複数の遊技機のそれぞれの台番号及び台粗利を含む第２データを抽出する第２抽出部と、
前記第１、第２データを、前記台番号に基づいて合成した合成データから管理に必要なデータを抽出して、少なくとも前記基板番号および前記台粗利を含むホール管理データを生成する処理部と、
を備えた情報処理装置。
【請求項２】
前記処理部は、
前記合成データを前記台番号に対応させて蓄積する蓄積部と、
前記蓄積した合成データから管理に必要なデータを抽出して、少なくとも前記基板番号および前記台粗利を含む前記ホール管理データを生成する生成部と、
を有する請求項１に記載の情報処理装置。
【請求項３】
前記第１データは、さらに、遊技機の検定番号および遊技機の機種名を含む請求項１または２に記載の情報処理装置。
【請求項４】
前記処理部は、前記ホール管理データとして、前記合成データから機種名に基づいてソートしたデータ、前記機種名ごとに合成したデータおよび前記基板番号ごとに合成したデータの少なくとも１つを生成する請求項３に記載の情報処理装置。
【請求項５】
前記第２データは、さらに、台売上を含む請求項１乃至４のいずれか１項に記載の情報処理装置。
【請求項６】
前記ホールコンデータから、差玉、有効スタートおよびベースエーの少なくとも１つを算出する算出部をさらに有する請求項１乃至５のいずれか１項に記載の情報処理装置。
【請求項７】
前記入替書類データおよび前記ホールコンデータは、店舗を識別するための店舗識別子を含み、
複数の店舗のそれぞれから前記入替書類データおよび前記ホールコンデータを取得する取得部と、
前記入替書類データおよび前記ホールコンデータに含まれる前記店舗識別子が一致するか否かを判定する判定部と、をさらに備え、
前記処理部は、前記判定部が一致すると判定した場合に、前記合成データから前記ホール管理データを生成する請求項１乃至６のいずれか１項に記載の情報処理装置。
【請求項８】
前記処理部は、前記ホール管理データとして、前記合成データから店舗単位のデータを生成する請求項７に記載の情報処理装置。
【請求項９】
情報処理装置を制御する情報処理方法であって、
前記情報処理装置が備える制御部が、遊技機の入替申請用に作成された入替書類データから、前記遊技機に使用される基板の基板番号と前記遊技機の台番号とを含む第１データを抽出する第１抽出ステップと、
前記制御部が、店舗に設置された複数の遊技機から収集されたホールコンデータから、前記複数の遊技機のそれぞれの台番号及び台粗利を含む第２データを抽出する第２抽出ステップと、
前記制御部が、前記第１、第２データを、前記台番号に基づいて合成した合成データから管理に必要なデータを抽出して、少なくとも前記基板番号および前記台粗利を含むホール管理データを生成する処理ステップと、
を含む情報処理方法。
【請求項１０】
遊技機の入替申請用に作成された入替書類データから、前記遊技機に使用される基板の基板番号と前記遊技機の台番号とを含む第１データを抽出する第１抽出ステップと、
店舗に設置された複数の遊技機から収集されたホールコンデータから、前記複数の遊技機のそれぞれの台番号及び台粗利を含む第２データを抽出する第２抽出ステップと、
前記第１、第２データを、前記台番号に基づいて合成した合成データから管理に必要なデータを抽出して、少なくとも前記基板番号および前記台粗利を含むホール管理データを生成する処理ステップと、
をコンピュータに実行させる情報処理プログラム。
【手続補正２】
【補正対象書類名】明細書
【補正対象項目名】０００６
【補正方法】変更
【補正の内容】
【０００６】
上記目的を達成するため、本発明に係る情報処理装置は、
遊技機の入替申請用に作成された入替書類データから、前記遊技機に使用される基板の基板番号と前記遊技機の台番号とを含む第１データを抽出する第１抽出部と、
店舗に設置された複数の遊技機から収集されたホールコンデータから、前記複数の遊技機のそれぞれの台番号及び台粗利を含む第２データを抽出する第２抽出部と、
前記第１、第２データを、前記台番号に基づいて合成した合成データから管理に必要なデータを抽出して、少なくとも前記基板番号および前記台粗利を含むホール管理データを生成する処理部と、
を備えた。
【手続補正３】
【補正対象書類名】明細書
【補正対象項目名】０００７
【補正方法】変更
【補正の内容】
【０００７】
上記目的を達成するため、本発明に係る情報処理方法は、
情報処理装置を制御する情報処理方法であって、
前記情報処理装置が備える制御部が、遊技機の入替申請用に作成された入替書類データから、前記遊技機に使用される基板の基板番号と前記遊技機の台番号とを含む第１データを抽出する第１抽出ステップと、
前記制御部が、店舗に設置された複数の遊技機から収集されたホールコンデータから、前記複数の遊技機のそれぞれの台番号及び台粗利を含む第２データを抽出する第２抽出ステップと、
前記制御部が、前記第１、第２データを、前記台番号に基づいて合成した合成データから管理に必要なデータを抽出して、少なくとも前記基板番号および前記台粗利を含むホール管理データを生成する処理ステップと、
を含む。
【手続補正４】
【補正対象書類名】明細書
【補正対象項目名】０００８
【補正方法】変更
【補正の内容】
【０００８】
上記目的を達成するため、本発明に係る情報処理プログラムは、
遊技機の入替申請用に作成された入替書類データから、前記遊技機に使用される基板の基板番号と前記遊技機の台番号とを含む第１データを抽出する第１抽出ステップと、
店舗に設置された複数の遊技機から収集されたホールコンデータから、前記複数の遊技機のそれぞれの台番号及び台粗利を含む第２データを抽出する第２抽出ステップと、
前記第１、第２データを、前記台番号に基づいて合成した合成データから管理に必要なデータを抽出して、少なくとも前記基板番号および前記台粗利を含むホール管理データを生成する処理ステップと、
をコンピュータに実行させる。